(57)【要約】【課題】シュート上に押し出された短尺の紙管を取り除く作業が紙管切断工程の時間中に行えるようにし、紙管切断の生産性を向上させることができる紙管切断機を提供する。【解決手段】紙管切断機の紙管抜き差し位置ｂに停止する切芯軸の自由端側の位置に、切芯軸の軸方向に沿って長い紙管供給シュート１１と、この紙管供給シュート１１と平行する紙管排出シュート１２を配置し、前記紙管供給シュート１１と紙管排出シュート１２は、紙管抜き差し位置ｂに停止する切芯軸３の自由端側前方の位置に何れかを停止させることができるよう、長さ方向と直交する横方向に一体動するようになっている。【選択図】図２
2011062755.tif 000002
【特許請求の範囲】
【請求項１】
保持ヘッドに平行状態で支持された複数本の切芯軸が、紙管切断位置と紙管抜き差し位置の間を回動変位するようにし、紙管切断位置に停止する切芯軸の自由端と対向する位置に、この切芯軸に挿入した紙管を固持して回転を与えるチャック機構を配置し、前記紙管切断位置に停止する切芯軸の外側に、回転する紙管を切断する切断刃を、切芯軸に対する進退動と切芯軸の軸方向に沿う移動が可能となるように配置し、前記紙管抜き差し位置に停止する切芯軸に対して、紙管の挿入と切断された紙管の取り出しを行うようにした紙管切断機において、
前記紙管抜き差し位置に停止する切芯軸の自由端側の位置に、切芯軸の軸方向に沿って長い紙管供給シュートと、この紙管供給シュートと平行する紙管排出シュートを配置し、前記紙管供給シュートと紙管排出シュートは、何れか一方のシュートを、紙管抜き差し位置に停止する切芯軸の自由端側前方の位置に延長状態に停止させることができるよう、長さ方向と直交する横方向又は上下方向に両シュートの配置間隔だけ一体動するようにしたことを特徴とする紙管切断機。
【請求項２】
上記紙管供給シュートと紙管排出シュートは、断面Ｖ字やＵ字の樋状に形成され、ベース台の上に切芯軸の軸方向と直行する横方向又は上下方向に移動自在となるよう配置した移動台の上に、所要の間隔で平行する水平状態に固定され、前記移動台を紙管供給シュートと紙管排出シュートの配置間隔に等しいストロークで横移動または上下動させるようになっていることを特徴とする請求項１に記載の紙管切断機。
【発明の詳細な説明】
【技術分野】
【０００１】
この発明は、長い紙管から短尺の紙管を切り出す紙管切断機に関する。
【背景技術】
【０００２】
長い紙管から短尺の紙管を切り出すための紙管切断機には、２軸紙管切断機と４軸紙管切断機があり、前者の２軸紙管切断機は、２本の切芯軸を紙管切断位置と紙管抜き差し位置へ交互に回動させ、紙管抜き差し位置で切芯軸に挿入した紙管を紙管切断位置で短尺の紙管に切断し、この切断工程中に、紙管抜き差し位置で切芯軸からの短尺紙管の抜き取りと新たな紙管の挿入を行うものである。
【０００３】
２軸紙管切断機の具体的な構造は、ベース台の上部で一端側の位置に保持ヘッドを配置し、前記保持ヘッドに２本の切芯軸を平行状態で取り付け、前記２本の切芯軸を紙管切断位置と紙管抜き差し位置の間を回動変位するようモーターで駆動し、前記ベース台上で、紙管切断位置に停止する切芯軸の自由端と対向する位置に、この切芯軸に挿入した紙管の端部を固持して回転を与えるチャック機構とその回転駆動機構を配置し、前記ベース台上で、紙管切断位置に停止する切芯軸の外側に、回転する紙管を切断する切断刃を、切芯軸に対する進退動と切芯軸の軸方向に沿う移動が可能となるように配置し、前記紙管抜き差し位置に停止する切芯軸に対して、紙管の挿入と切断された紙管の取り出しを行うようになっている（例えば、特許文献１参照）。
【０００４】
このような２軸紙管切断機は、２本の切芯軸を採用することにより、紙管切断位置に停止する切芯軸の紙管を切断している間に、紙管抜き差し位置に停止する切芯軸から切断された短尺の紙管を取り出すと共に、新たな紙管を挿入する作業が行えるので、紙管の切断と紙管抜き差しの時間的なロスの発生を少なくし、紙管を効率的に切断することができるという利点がある。
【０００５】
また、４軸紙管切断機は、上記２軸紙管切断機と基本的な構造は共通しており、保持ヘッドに４本の切芯軸を平行状態で取り付け、２本の切芯軸が紙管切断位置にあるとき残り２本の切芯軸が紙管抜き差し位置にあるよう、２本の切芯軸を一組として回動変位するようモーターで駆動し、紙管切断位置にある２本の切芯軸の紙管を同時に切断し、紙管抜き差し位置にある２本の切芯軸に対して、短尺の紙管の取り出しと新たな紙管の挿入作業を行うものであり、２軸紙管切断機に比べて紙管の切断効率を倍増させたものである。
【０００６】
従来の紙管切断機は、２軸紙管切断機と４軸紙管切断機の何れにおいても、紙管抜き差し位置に停止する切芯軸から短尺の紙管を、この切芯軸の軸方向に沿って移動する押出し部材によって自由端側に押出すことで取り出すと共に、切芯軸に対して作業員が新たな紙管を手作業で挿入するようになっている。
【０００７】
ところで、切芯軸から押出された短尺の紙管は、切芯軸の自由端側から落下させてケースに収納すると、短尺の紙管同士が衝突して外面に傷が付くことになるため、実際には、紙管抜き差し位置に停止する切芯軸の自由端側前方の位置に、押出されてきた短尺の紙管を受取る樋状のシュートを配置し、作業員はこのシュート上に押出されてきた短尺の紙管を手で取り出してケースに収納するようにしている。
【０００８】
また、紙管抜き差し位置に停止する切芯軸に新たな紙管を供給するときは、上記シュートを利用し、新たな紙管を一旦シュート上に載置した状態で、切芯軸に対する新たな紙管の挿入作業を行うことになる。
【先行技術文献】
【特許文献】
【０００９】
【特許文献１】特開２０００−１２７０８８号公報
【発明の概要】
【発明が解決しようとする課題】
【００１０】
しかしながら、従来の紙管切断機における紙管の取出しと供給の処理工程は、先ず、シュート上に押出されてきた短尺の紙管を全て取り除き、次に、その後で、新たな紙管を挿入することになるため、紙管切断機の紙管切断工程の時間とは別に、シュート上の短尺の紙管を全て取り除く作業時間と、切芯軸に新たな紙管を挿入する作業時間が別個に必要になり、その分紙管切断の生産効率を低下させることになる。
【００１１】
そこで、この発明の課題は、上記した問題点を解決するため、シュート上に押出されてきた短尺の紙管をこのシュート上から取り除く作業の前に、紙管抜き差し位置に停止する切芯軸に対して新たな紙管を挿入することができ、シュート上の短尺の紙管を取り除く作業が紙管切断工程の時間中に行えるようにすることで、紙管切断の生産性を向上させることができる紙管切断機を提供することにある。
【課題を解決するための手段】
【００１２】
上記の課題を解決するため、この発明は、保持ヘッドに平行状態で支持された複数本の切芯軸が、紙管切断位置と紙管抜き差し位置の間を回動変位するようにし、紙管切断位置に停止する切芯軸の自由端と対向する位置に、この切芯軸に挿入した紙管を固持して回転を与えるチャック機構を配置し、前記紙管切断位置に停止する切芯軸の外側に、回転する紙管を切断する切断刃を、切芯軸に対する進退動と切芯軸の軸方向に沿う移動が可能となるように配置し、前記紙管抜き差し位置に停止する切芯軸に対して、紙管の挿入と切断された紙管の取り出しを行うようにした紙管切断機において、前記紙管抜き差し位置に停止する切芯軸の自由端側の位置に、切芯軸の軸方向に沿って長い紙管供給シュートと、この紙管供給シュートと平行する紙管排出シュートを配置し、前記紙管供給シュートと紙管排出シュートは、何れか一方のシュートを、紙管抜き差し位置に停止する切芯軸の自由端側前方の位置に延長状態に停止させることができるよう、長さ方向と直交する横方向又は上下方向に両シュートの配置間隔だけ一体動するようにしたものである。
【００１３】
上記紙管供給シュートと紙管排出シュートは、断面Ｖ字やＵ字の樋状に形成され、ベース台の上に切芯軸の軸方向と直行する横方向又は上下方向に移動自在となるよう配置した移動台の上に、所要の間隔で平行する水平状態に固定され、前記移動台を紙管供給シュートと紙管排出シュートの配置間隔に等しいストロークで横移動または上下動させるようになっている構造とすることができる。
【００１４】
ここで、上記移動台は、横移動の場合、ベース台の上に設けた水平のスライドガイドに沿って移動自在となり、この移動台の上に立設した支持板で紙管供給シュートと紙管排出シュートが水平に支持され、前記紙管供給シュートと紙管排出シュートは、切断せんとする紙管の全長を支持することができる長さを有し、紙管抜き差し位置に停止した場合、同位置に停止する切芯軸に対して、一方の端部がこの切芯軸の自由端の直下に位置し、切芯軸の下面よりも少し低い高さになり、切芯軸に臨んだ時、切芯軸の軸線に沿って平面的に延長状の配置となる。
【００１５】
また、上記移動台は、上下動の場合、上記ベース台の上に設けたスライドガイドを垂直にして移動台を上下動するようにし、この移動台に紙管供給シュートと紙管排出シュートを上下に水平状態で取付け、移動台に紙管供給シュートと紙管排出シュートを上下の間隔だけ上下動させ、紙管抜き差し位置に停止する切芯軸に対して、両シュートの何れか一方を臨ませるようにすればよい。
【発明の効果】
【００１６】
この発明によると、紙管切断機において、前記紙管抜き差し位置に停止する切芯軸の自由端側の位置に、紙管供給シュートと紙管排出シュートを配置し、何れか一方のシュートを、紙管抜き差し位置に停止する切芯軸の自由端側前方の位置に停止させることができるよう、長さ方向と直交する横方向又は上下方向に一体動するようにしたので、紙管供給シュートに切断せんとする紙管を載置した状態で、切り出された紙管を紙管排出シュートで受取ると、両シュートを移動させて紙管供給シュートを切芯軸に臨ませ、切芯軸に紙管を挿入した後、紙管排出シュート上の切断された紙管を取り除く作業を行うことができ、先に切芯軸に対する新たな紙管を挿入し、その後、紙管排出シュート上の短尺の紙管を取り除く作業を行うことで、紙管排出シュート上の紙管を取り除く作業が紙管切断機の紙管切断工程の時間中に行え、その分作業時間のロスをなくすことで、紙管切断の生産性を向上させることができる。
【図面の簡単な説明】
【００１７】
【図１】（ａ）はこの発明に係る紙管切断機として２軸紙管切断機の例を示す平面図、（ｂ）は同正面図
【図２】この発明に係る紙管切断機として２軸紙管切断機の例を示す斜視図
【図３】この発明に係る紙管切断機として２軸紙管切断機の例を示す紙管供給シュートと紙管排出シュートの部分の斜視図
【図４】紙管供給シュートと紙管排出シュートの動きと紙管及び短尺紙管の処理関係を示し、（ａ）は紙管抜き差し位置にある紙管供給シュートに紙管を供給した状態の平面図、（ｂ）は切芯軸に紙管を挿入し、紙管抜き差し位置に紙管排出シュートが臨む状態の平面図、（ｃ）は紙管抜き差し位置に臨む紙管排出シュートに短尺紙管が押出された状態の平面図、（ｄ）は紙管抜き差し位置に紙管供給シュートが臨み、切芯軸に紙管を挿入する前の状態を示す平面図
【図５】この発明に係る紙管切断機として４軸紙管切断機の例を示す略図であり、（ａ）は切芯軸と紙管供給シュート及び紙管排出シュートの関係において、紙管抜き差し位置に紙管排出シュートが臨む状態の正面図と両側面図、（ｂ）は切芯軸と紙管供給シュート及び紙管排出シュートの関係において、紙管抜き差し位置に紙管供給シュートが臨む状態の正面図と両側面図
【発明を実施するための形態】
【００１８】
以下、この発明の実施の形態を図示例に基づいて説明する。
【００１９】
図１乃至図３は、紙管切断機として２軸紙管切断機の例を示し、長いベース台１の上部で一端側の位置に保持ヘッド２を配置し、この保持ヘッド２に片持ちの水平となる２本の切芯軸３、３を平行状態で取り付け、前記２本の切芯軸３、３が同一水平面高さで停止する状態で、一方を紙管切断位置ａ、他方を紙管抜き差し位置ｂに設定し、両切芯軸３、３が紙管切断位置ａと紙管抜き差し位置ｂの間を回動変位するようモーター４で駆動するようになっている。
【００２０】
上記ベース台１上で、紙管切断位置ａに停止する切芯軸３の自由端と対向する位置に、この切芯軸３に挿入した紙管Ａの端部を固持するチャック機構５と、このチャック機構５を介して紙管Ａに回転を与える回転駆動機構６を配置し、チャック機構５は、紙管Ａの端部を固持するチャックと、このチャックの開閉手段とで構成されている。
【００２１】
上記ベース台１上で、紙管切断位置ａに停止する切芯軸３の外側に、回転する紙管Ａを予め設定した長さに切断する切断刃７が、シリンダ８での切芯軸３に対する進退動と、送りねじ軸９によって、切芯軸３の軸方向に沿う移動が可能となるように配置されている。
【００２２】
また、上記ベース台１上で、紙管抜き差し位置ｂに停止する切芯軸３の外側に、切断された短尺紙管を取り出す押し出し部材１０が、切芯軸３の軸方向に沿って往復移動が可能となるように配置されている。
【００２３】
上記ベース台１上で、紙管抜き差し位置ｂに停止する切芯軸３の自由端側の位置に、切芯軸３の軸方向に沿って長い紙管供給シュート１１と、この紙管供給シュート１１と平行する紙管排出シュート１２を配置し、前記紙管供給シュート１１と紙管排出シュート１２は、何れか一方のシュートを、紙管抜き差し位置ｂに停止する切芯軸３の自由端側前方の位置に停止させることができるよう、長さ方向と直交する横方向に一体動するようになっている。
【００２４】
上記紙管供給シュート１１と紙管排出シュート１２は、切断せんとする紙管Ａの全長を支持することができる長さを有し、断面Ｖ字やＵ字の樋状に形成され、ベース台１の上に切芯軸３の軸方向と直行する横方向に移動自在となるよう配置した移動台１３の上に、所要の間隔で平行する水平状態に固定され、ベース台1と移動台１３の間に設けたシリンダ１４の伸縮により、前記移動台１３を紙管供給シュート１１と紙管排出シュート１２の配置間隔に等しいストロークで横移動させるようになっている。
【００２５】
なお、図面において、チャック機構５に近い側に位置するシュートが紙管供給シュート１１で、図２において手前側に位置するシュートが紙管排出シュート１２であり、図１（ａ）の実線は、紙管排出シュート１２が紙管抜き差し位置ｂに停止する切芯軸３に臨んでいる状態を示している。
【００２６】
上記移動台１３は、ベース台１の上に設けた一対のスライドガイド１５で支持され、この移動台１３の上に立設した複数の支持板１６で紙管供給シュート１１と紙管排出シュート１２が水平に支持され、紙管供給シュート１１と紙管排出シュート１２は、紙管抜き差し位置ｂに停止する切芯軸３に対して、一方の端部がこの切芯軸３の自由端の直下に位置し、切芯軸３の下面よりも少し低い高さになり、切芯軸３に臨んだ時、切芯軸３の軸線に沿って平面的に延長状の配置となる。
【００２７】
図５（ａ）と（ｂ）は、紙管切断機が４軸紙管切断機の例を略図で示しており、上記２軸紙管切断機と同一部分に同一符号を用いて説明する。
【００２８】
この４軸紙管切断機は、上記２軸紙管切断機と基本的な構造は共通しており、長いベース台１の上部で一端側の位置に配置した保持ヘッド２に片持ちの水平となる４本の切芯軸３、３、３ａ、３ａを同一円周上に平行状態で取り付け、これら切芯軸３、３、３ａ、３ａを挟んで一方側の上下二箇所に紙管切断位置ａと、他方側の上下二箇所に紙管抜き差し位置ｂを設定し、２本の切芯軸３、３が紙管切断位置ａにあるとき残り２本の切芯軸３ａ、３ａが紙管抜き差し位置ｂにあるよう、２本の切芯軸３、３と３ａ、３ａを一組として回動変位するようモーターで駆動し、図５（ａ）のように、紙管切断位置ａにある２本の切芯軸３、３の紙管Ａを同時に切断し、紙管抜き差し位置ｂにある２本の切芯軸３ａ、３ａに対して、短尺の紙管Ａ１の取り出しと新たな紙管Ａの挿入作業を行うものであり、２軸紙管切断機に比べて紙管Ａの切断効率を倍増させるようにしたものである。
【００２９】
この４軸紙管切断機において、紙管抜き差し位置ｂに停止する２本の切芯軸３、３又は３ａ、３ａの自由端側の位置に、それぞれ切芯軸３、３又は３ａ、３ａの軸方向に沿って長い紙管供給シュート１１と、この紙管供給シュート１１と平行する紙管排出シュート１２を上下に配置し、前記紙管供給シュート１１と紙管排出シュート１２は、何れか一方のシュート１１又は１２を、紙管抜き差し位置ｂに停止する切芯軸３、３又は３ａ、３ａの自由端側前方の位置に停止させることができるよう、長さ方向と直交する上下方向に一体動するようになっている。
【００３０】
この紙管供給シュート１１と紙管排出シュート１２の上下動は、２軸紙管切断機におけるベース台１の上に設けたスライドガイド１５を垂直にして移動台１３を上下動するようにし、この移動台１３に紙管供給シュート１１と紙管排出シュート１２を上下二段の配置で水平状態で取付け、移動台１３に紙管供給シュート１１と紙管排出シュート１２を上下の間隔だけ上下動させ、図５（ａ）と（ｂ）のように、紙管抜き差し位置ｂに停止する切芯軸３、３又は３ａ、３ａに対して、両シュート１１、１２の何れか一方を臨ませるようにすればよい。
【００３１】
この発明の紙管切断機は、上記のような構成であり、次にその作用を２軸紙管切断機の例を示す図４（ａ）乃至（ｄ）を主体に用いて説明する。
【００３２】
図３と図４（ａ）のように、紙管抜き差し位置ｂに停止する切芯軸３に対して紙管供給シュート１１が臨む状態で、紙管供給シュート１１の上に供給した紙管Ａを作業員が手作業で切芯軸３に挿入すると、紙管供給シュート１１と紙管排出シュート１２は、シリンダ１４の作動で移動し、図４（ｂ）のように、紙管抜き差し位置ｂに停止する切芯軸３に対して紙管排出シュート１２が臨むことになる。
【００３３】
紙管切断機は、切芯軸３に紙管Ａが端部を位置決めした状態で挿入されると、モーター４による保持ヘッド２の駆動で、両切芯軸３、３が１８０度回転し、紙管Ａが挿入された切芯軸３が紙管切断位置ａに移動し、紙管切断位置ａにあった切芯軸３が紙管抜き差し位置ｂに移動する。
【００３４】
紙管Ａが挿入された切芯軸３が紙管切断位置ａに停止すると、チャック機構５が紙管Ａの端部を固持して回転を与え、切断刃７が切芯軸３に対する進退動と切芯軸３の軸方向に沿う移動をすることで、紙管Ａを設定された長さの短尺紙管Ａ１に順次切断し、この間に、紙管供給シュート１１の上に新たな紙管Ａを供給しておく。
【００３５】
紙管抜き差し位置ｂに停止した切芯軸３に、切断された短尺紙管Ａ１がある場合、図２と図４（ｃ）のように、退動位置に停止していた押出し部材１０が移動し、切芯軸３に挿入されている短尺紙管Ａ１を紙管排出シュート１２に向けて後押し状態で押出し、短尺紙管Ａ１の全長を押出すと押出し部材１０は退動位置に戻る。
【００３６】
紙管排出シュート１２に短尺紙管Ａ１の全長が押出されると、紙管供給シュート１１と紙管排出シュート１２は、シリンダ１４の作動で移動し、図４（ｄ）のように、紙管抜き差し位置ｂに停止する切芯軸３に対して紙管供給シュート１１が臨み、短尺紙管Ａ１の載った紙管排出シュート１２は、切芯軸３に対して手前側に移動する。
【００３７】
ここで、先ず、紙管供給シュート１１に載置してある紙管Ａを切芯軸３に挿入し、その後、紙管排出シュート１２に載った短尺紙管Ａ１を手作業で取り除き、これをケース等に収納する作業を行い、紙管排出シュート１２から短尺紙管Ａ１を取り除くと、紙管供給シュート１１と紙管排出シュート１２は、シリンダ１４の作動で移動し、図４（ｂ）のように、紙管排出シュート１２が紙管抜き差し位置ｂに停止する。
【００３８】
上記のように、紙管供給シュート１１に載置してある紙管Ａを切芯軸３に挿入し、その後、紙管排出シュート１２に載った短尺紙管Ａ１を取り除くことで、短尺紙管Ａ１の取り除き作業が、紙管切断機の紙管切断作業中に行えることになり、その分作業時間のロスをなくすことで、紙管切断の生産性を向上させることができる。
【符号の説明】
【００３９】
１        ベース台
２        保持ヘッド
３、３ａ  切芯軸
４        モーター
５        チャック機構
６        回転駆動機構
７        切断刃
８        シリンダ
９        送りねじ軸
１０      押し出し部材
１１      紙管供給シュート
１２      紙管排出シュート
１３      移動台
１４      シリンダ
１５      スライドガイド
１６      支持板
ａ        紙管切断位置
ｂ        紙管抜き差し位置
Ａ        紙管
Ａ１      短尺紙管
【図１】
2011062755.tif 000003
【図２】
2011062755.tif 000004
【図３】
2011062755.tif 000005
【図４】
2011062755.tif 000006
【図５】
2011062755.tif 000007